(57)【特許請求の範囲】
【請求項１】
情報記録面に同心円状に又は螺旋状に配置され、蛇行して形成されたグルーブトラック及びランドトラックを有し、
前記グルーブトラック及びランドトラックには、円周方向にユーザーデータ記録領域とアドレスデータ記録領域とが交互に設けられ、
前記アドレスデータ記録領域には、前記グルーブトラックの蛇行形態を継続した形態で少なくとも時間情報又は位置情報を有するアドレスデータを含む第１のピット列を形成した第１の部分と、前記ランドトラックの蛇行形態を継続した形態で少なくとも時間情報又は位置情報を有するアドレスデータを含む第２のピット列を形成した第２の部分とが円周方向に所定の順序で形成され、
前記第１のピット列の各ピットは、前記ランドトラックの同一面から前記グルーブトラックの底面に至る深さを有し、前記第２のピット列の各ピットは、前記グルーブトラックと同一面から前記ランドトラック面に至る高さを有し、
前記アドレスデータ記録領域の前記第１の部分における前記グルーブトラック間には前記ランドトラックの蛇行形態を継続した形態でランドトラックが形成され、前記アドレスデータ記録領域の前記第２の部分における前記ランドトラック間には前記グルーブトラックの蛇行形態を継続した形態でグルーブトラックが形成されている
ことを特徴とする光ディスク。
【発明の詳細な説明】
【０００１】
【発明の属する技術分野】
本発明は、光ディスクに係り、例えば相変化型の光ディスクに記録されているアドレスの形態に関する。
【０００２】
【従来の技術】
従来、高密度に情報を記録する光ディスク装置では、予め光ディスクにプリピットにより記録されたアドレスデータを基準にして、所望のデータをセクタ単位で記録するようになっている。
【０００３】
即ち、この種の光ディスクは、情報記録面を所定の角間隔で分割してセクタが形成される。各セクタは、先頭に、プリピットによりアドレスデータが記録され、続く領域がユーザーエリアに割り当てられる。
【０００４】
光ディスク装置は、順次入力されるユーザーデータを２０４８バイト単位でブロック化し、光ディスクに記録されたアドレスデータを基準にして、この２０４８バイト単位のブロックを各セクタのユーザーエリアに記録するようになっている。
【０００５】
【発明が解決しようとする課題】
ところでこの種の光ディスク装置として、ＤＶＤ（Digital Versatile Disce）が提案されている。このＤＶＤは、波長６５０〔ｎｍ〕のレーザービームを開口数０．６の光学系により光ディスクに照射して、片面で４．７〔ＧＢ〕のデータを記録できるようにしたものである。このようなＤＶＤでは、片面で約２時間の映像信号を記録することができる。
【０００６】
これに対して、高密度記録することによって記録容量を減らすことなく、ディスクの径を更に小さくし、光ディスクの特徴であるランダムアクセス機能等を有効に利用できるテープレコーダ式カメラの代替え、或いは所謂モバイル用途としてのディスクに対する要求が高まってきている。
【０００７】
そこで、ＤＶＤ−ＲＡＭのプリフォーマットを上記用途に用いた場合、アドレスヘッダのところだけウオブリングがなくなっているため、アドレスヘッダの部分においてトラッキングエラーが不連続となり、それ故、この間の外部衝撃に対して弱く、トラッキングが外れ易いという問題がある。また、シーク時のトラッキングエラーによるトラックカウントに誤差が生ずるという問題がある。
【０００８】
また、アドレスヘッダ部分においてはウオブル信号が検出できず、記録再生クロックに乱れが生じ、このため、記録再生クロックを位相合わせするためのＶＦＯ（同期用のタイミングデータ）の領域が多く必要となる。これにより、ユーザデータ容量が低下してしまうという問題がある。
【０００９】
結局、モバイル用途のカメラをディスク化するには、ディスク径を小さくし、且つ、高密度記録することにより記録容量を減らさなようにしなければならない。その場合、アドレスを確実に検出するようにして、外部衝撃に対して安定にトラッキングサーボ系を動作させることが要請される。
【００１０】
本発明は上述の如き従来の課題を解決するためになされたもので、従来に比して高密度にデータを記録する場合でも、情報記録面を有効に利用して光ディスクに記録されたアドレスを確実に検出することができ、また、外部衝撃に対して強い光ディスクを提案することを目的としている。
【００１１】
【課題を解決するための手段】
上記目的を達成するために、請求項１の発明の特徴は、情報記録面に同心円状に又は螺旋状に配置され、蛇行して形成されたグルーブトラック及びランドトラックを有し、前記グルーブトラック及びランドトラックには、円周方向にユーザーデータ記録領域とアドレスデータ記録領域とが交互に設けられ、前記アドレスデータ記録領域には、前記グルーブトラックの蛇行形態を継続した形態で少なくとも時間情報又は位置情報を有するアドレスデータを含む第１のピット列を形成した第１の部分と、前記ランドトラックの蛇行形態を継続した形態で少なくとも時間情報又は位置情報を有するアドレスデータを含む第２のピット列を形成した第２の部分とが円周方向に所定の順序で形成され、前記第１のピット列の各ピットは、前記ランドトラックの同一面から前記グルーブトラックの底面に至る深さを有し、前記第２のピット列の各ピットは、前記グルーブトラックと同一面から前記ランドトラック面に至る高さを有し、前記アドレスデータ記録領域の前記第１の部分における前記グルーブトラック間には前記ランドトラックの蛇行形態を継続した形態でランドトラックが形成され、前記アドレスデータ記録領域の前記第２の部分における前記ランドトラック間には前記グルーブトラックの蛇行形態を継続した形態でグルーブトラックが形成されていることにある。
【００１７】
上記発明では、グルーブを蛇行して形成すると共に、アドレスデータに応じたピット列を形成すれば、ディスク表面のごみ等の影響によりアドレス情報が読めない場合でも、以前に検出したアドレスデータと、グルーブによる同期情報を用いて、同期処理により正しいアドレスを検出することができ、これにより記録再生位置を特定することができる。また、アドレスデータにおいては、非常に低エラーレートのアドレス品質でもよく、また蛇行したグルーブに同期情報を割り当てた分、ビット長を短く形成することができる。
【００１８】
これにより、情報記録面を効率良く使用して、光ディスクに記録されたアドレスを確実に検出することができる。また、このアドレス領域までウオブリングされているため、この蛇行による周波数情報より、ディスクの基準位置情報に基づいた、精度の良い記録再生クロック情報、つまり角度情報を得ることができる。このクロック情報により、冗長なく高密度に記録再生することができる。また、アドレスヘッダの部分においもトラッキングエラーが連続的に検出でき、外部衝撃に対して強うトラッキングサーボ系が構築できる。また、シーク時のトラッキングエラーによるトラックカウントも高い精度で検出できる。また、グルーブの蛇行を基準にして光ディスクを精度良く回転制御することができる。
【００１９】
この時、光ディスクの回転角度に換算したグルーブの蛇行の周期が、所定範囲で内周側と外周側とで等しくなるようにグルーブを形成し、また、グルーブの幅と、隣接するグルーブ間のランドの幅とがほぼ等しくなるように設定すれば、ランドとグルーブの両トラックを記録再生トラックとすることができ、記録密度を向上することができる。
【００２０】
この場合等に、各アドレスデータのピット列を、グルーブによるトラックの時間情報又は、位置情報によるピット列と、グルーブ間のランドによるトラックの時間情報又は、位置情報によるピット列とを順次配列して形成すれば、隣接するランドとグルーブとのアドレスピット列間の再生時の干渉がなくなり、ピット列より正しくアドレスデータを再生することができる。
【００２１】
【発明の実施の形態】
以下、本発明の実施の形態を図面に基づいて説明する。図１は、本発明の光ディスクの第１の実施の形態に係るプリフォーマット例を示した図であり、図２は図１の一部拡大図である。図３は図１に示した光ディスクのプリフォーマットを形成するマスタリング装置の構成例を示したブロック図である。
【００２２】
図３に示したマスタリング装置１では、直径５０〔ｍｍ〕の光ディスクにおいて、半径１４〔ｍｍ〕〜２４〔ｍｍ〕の領域を情報記録面に設定するように、図１に示したディスク原盤２に順次トラックを形成する。即ち、ウオブル信号発生回路７により発生されたウオブル信号ＷＢは、アドレス信号生成回路６から発生されたアドレス信号ＳＡと合成回路８により合成され、駆動信号ＳＤとなって駆動回路５に供給される。この時、駆動回路５はこのディスク原盤２の情報記録面を放射状の領域に分割してセクタ構造を形成するように、光ヘッド４の駆動条件を切り換える。更に、この切り換えのタイミングを内周側より外周側に順次段階的に変化させることにより、情報記録面を同心円状に分割して１４のゾーンＺ０〜Ｚｎを形成する。尚、ディスク原盤２はスピンドルモータ３により所定の一定回転速度に回転駆動される。これにより、駆動回路５は、最内周のゾーンＺ０においては、１トラックに９個のセクタを形成し、順次外周側のゾーンＺ１、……、Ｚｎに変位するに従って、１トラックのセクタ数を１づつ増大する。
【００２３】
ディスク原盤２の各セクタは、図２に示すように、矢印Ａ及び矢印Ｂによりセクタの境界を拡大し、先頭がアドレスエリア（ヘッダエリア）ＡＲ２に割り当てられ、続く残りの領域がユーザーエリアＡＲ１に割り当てられる。駆動回路５は、図示しないシステム制御回路の制御により、このユーザーエリアＡＲ１においては、駆動信号ＳＤによりレーザービーム照射位置を変位させ、これにより、このユーザーエリアＡＲ１にグルーブトラック２１を蛇行させて形成する。
【００２４】
また、アドレスエリアＡＲ２においては、このアドレスエリアＡＲ２の前半部分で、レーザービーム照射位置の変位を継続しながら、駆動信号ＳＤによりレーザービームの光量を間欠的に立ち上げ、これによりグルーブトラック２１に対するウオブル状のピット２３列を形成する。また、アドレスエリアＡＲ２の後半部分ではグルーブトラック２１のウオブリングを継続しながら、他方の前記ウオブリングに位相同期している内周側のレーザービームで内周側のランドトラック２２に、駆動信号ＳＤによりレーザービームの光量を間欠的に立ち上げ、これにより、ランドトラック２２によるトラックセンター上にウオブリング状のピット２４列を形成する。すなわち、本実施形態では、グルーブアドレス及びグルーブアドレスピットを形成するレーザビームと、ランド上のアドレスピットを形成するビームとの２つのビームでカッティングする例を示しているが、１ビームによるカッティングも可能である。
【００２５】
駆動回路５は、アドレスエリアＡＲ２の前半側には、続くグルーブトラック２１によるセクタのアドレスデータを対応するトラックセンタ上のピット列により記録し、アドレスエリアＡＲ２の後半側には、続く内周側のランドトラック２２によるセクタのアドレスデータを対応するトラックセンタ上にピット列により記録するようになっている。
【００２６】
ウオブル信号発生回路７は、ディスク原盤２の回転に同期した所定周波数の正弦波信号をウオブル信号ＷＢとして出力する。この時、ウオブル信号発生回路７は、図１で示したゾーニングに対応して、ウオブル信号ＷＢの周波数を順次段階的に増大して出力する。これにより、ウオブル信号発生回路７はこのウオブル信号ＷＢによりレーザービーム照射位置を変位させて、１セクタ当たり、３９７周期蛇行させる。
【００２７】
これにより、アドレスエリアＡＲ２においては、グルーブトラック２１の５周期相当分の長さが割り当てられ、最内周のゾーンＺ０のトラックではグルーブトラック２１が３５７３周期蛇行するように形成され、外周側のゾーンに移るに従って、順次グルーブトラック２１の蛇行が１トラック当たり３９７周期増大するように形成される。
【００２８】
尚、この実施の形態では、このグルーブトラック２１の蛇行の１周期に対して、２５バイトのデータがユーザーエリアＡＲ１に割り当てられ、この１周期が約４２〔μｍ〕の長さにより形成される。
【００２９】
アドレス信号生成回路６は、システム制御回路の制御により光ヘッド４の変位に応じて順次値の変化するアドレス信号ＳＡを生成して出力する。即ち、アドレス信号生成回路６は、ディスク原盤２の回転に同期したタイミング信号（ＦＧ信号等でなる）をスピンドルモータ３等より受け、このタイミング信号を所定のカウンタによりカウントする。
【００３０】
これによりアドレス信号生成回路６は、図４（Ａ）に示すように、レーザービーム照射位置のアドレスデータＩＤを生成する。図４（Ｂ）は図４（Ａ）のアドレス領域ＡＲ２の拡大図であり、ヘッダは（Ｃ１），（Ｃ２）のような構成を有している。尚、この図４に示す数字は各データのバイト数である。
【００３１】
アドレス信号生成回路６は、このアドレスデータＩＤに対してセクタマークＳＭ、同期用のタイミングデータＶＦＯ、アドレスマークＡＭ、ポストアンブルＰＡを付加して、それぞれアドレスエリアＡＲ２の前半部分及び後半部分に割り当てるセクタヘッダを生成する（図４の（Ｃ１）及び（Ｃ２））。
【００３２】
尚、ここでアドレス信号生成回路６は各セクタヘッダを６２バイトにより形成する。セクタマークＳＭはセクタヘッダの開始を示すために設定され、４バイトが割り当てられる。同期用のタイミングデータＶＦＯは光ディスク装置におけるＰＬＬ回路のロックのために配置され、それぞれ先頭側より２６バイト及び１６バイトが割り当てられる。
【００３３】
アドレスマークＡＭは、アドレスの同期信号であり、１バイトが割り当てられる。アドレスデータＩＤは６バイトであり、内２バイトが誤り検出符号である。アドレスデータＩＤは、同一のデータが繰り返し２回記録され、その分、信頼性を向上するようになっている。ポストアンブルＰＡは信号の極性を設定するために配置され、１バイトが割り当てられる。
【００３４】
アドレス信号生成回路６は、このようにして生成したセクタヘッダを、シリアルデータ列に変換し、このシルアルデータ列を所定フォーマットにより変調する。更に、アドレス信号生成回路６はこの被変調信号をアドレス信号ＳＡとして出力する。この時、アドレス信号生成回路６はこのアドレス信号ＳＡをレーザービームＬの走査に対応するタイミングにより出力する。
【００３５】
合成回路８は、このウオブル信号ＷＢと、アドレス信号ＳＡとを合成して、光ヘッド４の光学系を変位させる変位信号と、レーザービームの光量を制御する光量制御信号とで成る駆動信号ＳＤを生成し、この駆動信号ＳＤを駆動回路５に出力する。
【００３６】
これにより、このディスク原盤２より作成される光ディスクは情報記録面が同心円状に分割されて、内周側より外周側のゾーンに向かってセクタ数が順次増大するようにプリフォーマットされて形成される。更に各セクタの先頭にはアドレスエリアＡＲ２が形成され、続くグルーブトラック２１によるセクタのアドレスと、続くランドトラック２２によるセクタのアドレスとが、このアドレスエリアＡＲ２に記録され、続くユーザーエリアＡＲ１に所望のデータが記録されることになる。
【００３７】
このユーザーエリアＡＲ１に対して（図４（Ｂ））、この実施の形態では、ギャップ０．５バイト及び８バイトを間に挟んで、２４バイトのガード、２５バイトのＶＦＯ、２バイトの同期バイト、９６７２バイトのユーザーデータ、１バイトのポストアンブル（ＰＡ）、４８バイトのガード、１６バイトのバッファが順次割り当てられるようになされている。
【００３８】
尚、ここでギャップは、レーザービーム光量の切り換え領域であり、ガードは記録メディアとして相変化メディアを用いた場合に、オーバーライトによる記録材料の流動性を抑え、記録エリアのオーバーライトサイクルを向上させるために配置される。同期バイトは、光ディスク装置におけるＰＬＬ回路のロックのために配置され、ポストアンブルは、極性設定のために配置され、バッファは偏心等によるジッタを吸収する記録エリアの冗長エリアである。
【００３９】
尚、この光ディスクは、直径が５０〔ｍｍ〕により形成され、半径１４〔ｍｍ〕〜２４〔ｍｍ〕の領域が記録領域に割り当てられるようになっている。
【００４０】
これらにより相変化型の光ディスクにおいては、レーザービームの照射により情報記録面の結晶構造を局所的に変化させて所望のデータを記録できるように形成され、また戻り光の光量変化を検出して記録したデータを再生できるように形成される。
【００４１】
また、光磁気ディスクにおいては、レーザービーム照射位置に磁界を印加して所望のデータを熱磁気記録できるように形成され、また、戻り光の偏光面を検出することにより磁気カー効果を利用して記録したデータを再生できるように形成される。更に追記型の場合、レーザービームの照射により情報記録面を局所的に破壊して所望のデータを記録できるように形成され、また戻り光の光量変化を検出して記録したデータを再生できるように形成される。
【００４２】
これらの場合に光ディスクにおいては、角速度一定の条件によりディスク原盤２を回転駆動して、順次段階的にウオブル信号ＷＢの周波数が切り換えられ、このウオブル信号ＷＢによりグルーブトラック２１が形成されることになる。これにより光ディスクは、ゾーニングされて、各ゾーン内において、光ディスクの回転角度に換算したグルーブトラック２１の蛇行周期が一定に形成される。
【００４３】
図５は上記のようにして製造された光ディスクをアクセスする光ディスク装置の再生系の構成についてウオブル信号の処理系を中心に示したブロック図である。本例の光ディスク装置１０は、光ディスク１２を再生する光ヘッド１１、光ヘッド１１を駆動するスレッドモータ３６、装置全体を制御するシステム制御部３４、システム制御部３４を制御するための各種データが格納されているメモリ４２、光ヘッド１１の再生データからアドレスを検出するアドレス検出部３７、クラスタをカウントするクラスタカウント部３８、光ヘッド１１の再生データからウオブル信号ＷＢを検出するウオブル信号検出回路３９、ウオブル信号検出回路３９によるウオブル信号の周期を検出するウオブリング周期検出部４０及びＰＬＬ回路３５を有している。
【００４４】
この光ディスク装置１０では、光ヘッド１１より光ディスク１２にレーザービームを照射して、その戻り光を受光する。光ディスク装置１０のスピンドルモータ３３はシステム制御回路３４の制御により、光ディスク１２を回転駆動する。この時、スピンドルモータ３３は、ＰＬＬ回路３５で生成される書き込み読み出しクロックＲ／Ｗ  ＣＫが一定周波数になるように光ディスク１２を回転駆動する。
【００４５】
これにより、所謂ＺＣＬＶ（Zone Constant Liner Velocity）の手法により光ディスク１２を回転駆動する。尚、ここで、このＺＣＬＶによるゾーニングは、図１について説明したゾーニングに対応する。
【００４６】
スレッドモータ３６は、システム制御回路３４の制御により光ヘッド１１を光ディスク１２の半径方向に可動し、光ディスク装置１０はこれによりシーク動作ができるようになっている。
【００４７】
アドレス検出回路３７は、光ヘッド１１より戻り光の光量に応じて信号レベルが変化する再生信号ＲＦを受け、この再生信号ＲＦを２値化する。更に２値化した信号よりセクタヘッダに割り当てた同期信号を基準にしてアドレスデータＩＤを検出してシステム制御回路３４に出力し、また、この検出したタイミングをクラスタカウンタ３８に通知する。これにより、光ディスク装置１０は、システム制御回路３４において、光ディスク１２にプリフォーマットされたアドレスデータＩＤに基づいて、レーザービーム照射位置を特定できるようになっており、またクラスタカウンタ３８において、セクタのタイミングを確認できるようになっている。
【００４８】
更に、アドレス検出回路３７は、このアドレスデータＩＤを出力する際に、各アドレスデータＩＤに割り当てられた誤り検出符号により誤り検出処理をし、正しいと判断されるアドレスデータＩＤを選択的に出力する。
【００４９】
ウオブル信号検出回路３９は、光ヘッド１１より出力されるプッシュプル信号ＰＰをバンドパスフィルタ３９Ａに与え、ここでウオブル信号ＷＢを抽出する。更にウオブル信号検出回路３９は、続く比較回路（ＣＯＭ）３９Ｂにおいて、０レベルを基準にしてウオブル信号ＷＢを２値化し、これによりウオブル信号ＷＢのエッジ情報を抽出する。
【００５０】
ウオブリング周期検出回路４０は、この２値化された２値化信号Ｓ１を受け、この２値化信号Ｓ１の各エッジのタイミングを基準にして対応するエッジのタイミングを判定することにより、正しい周期によりウオブル信号ＷＢが変化しているか否か判定する。更にウオブリング周期検出回路４０は、正しい周期と判断したエッジ情報を選択的にＰＬＬ回路３５に出力する。これによりウオブリング周期検出回路４０は、光ディスク１２に付着した塵等によって、クロックＣＫが変位しないようにする。
【００５１】
ＰＬＬ回路３５は、ウオブリング周期検出回路４０により出力される２値化信号を位相比較回路（ＰＣ）３５Ａに与え、ここで分周回路３５Ｂより出力されるクロックＣＫと位相比較する。ここで分周回路３５Ｂにおいては、システム制御回路３４の設定により、所定のクロックＣＫを出力する。
【００５２】
これにより、このＰＬＬ回路３５においてはローパスフィルタ（ＬＰＦ）３５Ｃにより、位相比較回路３５Ａより出力される位相比較結果の低周波成分を抽出し、この低周波成分により電圧制御型発振回路（ＶＣＯ）３６Ｄの発振周波数を制御する。更に、この電圧制御型発振回路３６Ｄの発振出力を分周回路３５Ｂで分周し、これにより精度の高いクロックＣＫを生成できるようになっている。このＰＬＬ回路３５の発振出力が書き込み読み出し用クロックＲ／Ｗ  ＣＫとなる。
【００５３】
光ディスク装置１０では、スピンドルモータ３３により、この書き込み読み出しクロックＲ／Ｗ  ＣＫが一定周波数になるよう光ディスク１２を回転駆動することにより、また、この書き込み読み出しクロックＲ／Ｗ  ＣＫを基準にして所望のデータを記録することにより、内周側と外周側とで線記録密度が大きく変化しないようにし、その分記録密度を増大できるようになっている。
【００５４】
クラスタカウンタ３８は、アドレス検出回路３７の検出結果を基準にして、書き込み読み出し用クロックＲ／Ｗ  ＣＫをカウントすることにより、この書き込み読み出し用クロックＲ／Ｗ  ＣＫを基準にして高い精度によりレーザービーム照射位置を特定する。更にクラスタカウンタ３８は、カウント結果に基づいて、システム制御回路３４にクラスタスタートパルスを出力する。尚、ここでクラスタは光ディスク１２に対するデータの記録再生の単位であり、クラスタスタートパルスは、このクラスタの開始のタイミングを指示するパルスである。
【００５５】
この処理においてクラスタカウンタ３８は、例えばディスク表面の塵等により、アドレス検出回路３７よりセクタ開始のタイミングが検出されない場合、書き込み読み出し用クロックＲ／Ｗ  ＣＫのカウント結果を基準にした同期処理により、クラスタスタートパルスを補間処理する。
【００５６】
システム制御回路３４は、この光ディスク装置１０全体の動作を制御するコンピュータにより構成され、順次入力されるアドレスデータＩＤに基づいて、スレッドモータ３６等の動作を制御し、また全体の動作モードを切り換えることにより、レーザービーム照射位置に応じて、更には外部機器からの制御により、全体の動作を制御する。
【００５７】
この一連の処理においてシステム制御回路３４は、アドレスデータＩＤを基準にしたレーザービーム照射位置に応じて、図示していないスピンドル制御回路を制御し、図１で説明したゾーンＺ０、Ｚ１、……、Ｚｎ−１、Ｚｎに対応するように、内周側から外周側のゾーンに向かって、順次段階的に光ディスクの回転速度を低減して、内周側のゾーンと外周側のゾーンとで各セクタを等しい記録密度に設定する。
【００５８】
また、この時、クラスタカウンタ３８より出力されるクラスタスタートパルスに従って書き込み読み出しの制御を実行することにより、各セクタに設定したアドレスエリアＡＲ２を基準にして、連続する４つのセクタに１クラスタのデータを割り当てる。これによりシステム制御回路３４は、内周側のゾーンから外周側のゾーンに向かって、順次各ゾーンに割り当てるクラスタ数を増大するようになっている。
【００５９】
更にシステム制御回路３４は、図示しないトラッキングサーボ回路に対してトラッキングエラー信号の極性に対する対物レンズの可動方向を切り換え指示し、これによりレーザービームの走査を、グルーブトラック２１と、グルーブ間のランドトラック２２との間で切り換え制御する。これにより、この光ディスク装置１０では所謂ランド／グルーブ記録できるようになっている。
【００６０】
尚、本例の再生ディスクは図４（Ａ）に示すようにグルーブトラック２１のアドレスはランド面と同一の高さからグルーブ底面と同一の深さに到るピットで形成され、ランドトラック２２のアドレスはグルーブトラック２１の底から持ち上がったランド面に到るピットで形成されているため、アドレスエリアＡＲ２とデータエリアＡＲ１とでトラッキングの極性を切り換えなくて良いため、この極性切換回路を省略することができ、その分、回路を若干簡単化することができるが、上記光ディスク装置の再生系の基本的な構成は従来と同一である。
【００６１】
図６は、上記した光ディスク装置１０の記録系を示すブロック図である。この光ディスク装置１０では、ディスク弁別器５０は、例えばカートリッジに形成された凹部より光ディスク１２の種類を識別し、識別信号をシステム制御回路３４に出力する。これにより、光ディスク装置１０は装填された光ディスク１２の種類に応じて、記録再生系の動作を切り換え、各種光ディスクをアクセスできるようになっている。
【００６２】
ここで、エンコーダ５１は、記録時、編集時等において、外部機器よりビデオ信号及びオーディオ信号から成る入力信号ＳＩＮを入力し、このビデオ信号及びオーディオ信号をアナログディジタル変換処理した後、ＭＰＥＧ（Moving Picture Experts Group）に規程のフォーマットにより、データ圧縮してユーザーデータＤＵを生成する。
【００６３】
これに対して、デコーダ５２は、エンコーダ５１とは逆に、再生時、編集時において、記録再生回路５３より出力されるユーザーデータＤＵをＭＰＥＧに規程のフォーマットによりデータ伸長してディジタルビデオ信号、ディジタルオーディオ信号を生成し、このディジタルビデオ信号及びディジタルオーディオ信号をアナログ信号ＳＯＵＴに変換して出力する。
【００６４】
記録再生回路５３は、記録時、編集時、エンコーダ５１より出力されるユーザーデータＤＵをメモリ５４に蓄積すると共に、所定ブロック単位で処理して光ディスク１２に記録する。
【００６５】
即ち、図７に示すように、記録再生回路５３は、ユーザーデータＤＵを２０４８バイト単位で順次ブロック化し、各ブロックに１６バイトによるアドレスデータ及びエラー検出符号を付加する。記録再生回路５３は、この２０４８バイト＋１６バイトによりセクタデータブロックを形成する。アドレスデータは、このセクタデータブロックのアドレスデータである。尚、ユーザーデータＤＵによるセクタは、図１で説明したプリフォーマットによるセクタとは異なる。またエラー検出符号はこのアドレスデータの誤り検出符号である。
【００６６】
更に、図８に示すように、記録再生回路５３は、１６個のセクタデータブロックによりＥＣＣデータブロック（１８２バイト×２０８バイト）を形成する。即ち、記録再生回路５３は、図面にて、２０４８バイト×１６バイトによる１６個のセクタデータブロックを１７２バイト単位で順次ラスタ走査の順に配列し、この横方向に、内符号でなる誤り訂正符号（ＰＩ）を生成する。更に、この縦方向に外符号でなる誤り訂正符号（ＰＯ）を生成する。
【００６７】
記録再生回路５３は、このＥＣＣブロックをインターリーブ処理して、図８に示すフレーム構造を形成する。即ち、記録再生回路５３は、１８２バイト×２０８バイトのＥＣＣデータブロックの各９１バイトに対して、２バイトのフレーム同期信号（ＦＳ）を割り当て、これによりＥＣＣデータブロックで２０８フレームを形成する。このため、記録再生回路５３はこの図１１に示すフレーム構造により１クラスタのデータを形成し、この１クラスタを連続する４つのセクタに割り当てる。
【００６８】
この時、記録再生回路５３は、必要に応じて所定の固定値のデータを割り当てて、図３で説明したセクタ構造により、連続するデータを処理する。更に記録再生回路５３は、このような配列によるデータ列を（１、７）ＲＬＬ変調した後、連続するビット間で演算処理して出力する。またこの出力の際に、ユーザーデータＤＵに換算して１１．０８〔Ｍｂｐｓ〕のデータ転送速度により出力することによって、エンコーダ５１より入力されるユーザーデータＤＵのデータ転送速度に比して高い転送速度により間欠的に出力する。これにより、記録再生回路５３は、間欠的にユーザーデータＤＵを記録して余る空き時間を利用して、シークできるようにされ、また振動等によりデトラックしても、連続するユーザーデータを途絶えることなく記録できるようになっている。
【００６９】
このデータ記録の際に、記録再生回路５３は、図５で説明した書き込み読み出しクロックＲ／Ｗ  ＣＫを基準にして変調したデータを出力し、またシステム制御回路３４の制御により、クラスタカウンタ３８で検出されたタイミングを基準にして変調したデータの出力を開始する。
【００７０】
更に、記録再生回路５３は、再生時、光ヘッド１１より入力される再生信号ＲＦ、ＭＯを増幅した後、２値化して２値化信号を生成する。更に、この２値化信号を基準にして再生信号ＲＦ、ＭＯよりクロックを再生する。かくするにつき、この再生されたクロックは、書き込み読み出しクロックＲ／Ｗ  ＣＫに対応することになる。更に、この再生したクロックを基準にして順次２値化信号をラッチすることにより再生データを検出する。
【００７１】
記録再生回路５３は、ＰＲＭＬ（Patial-Response Maximum-Likelihood）の手法を適用して、記録時の演算処理と、記録再生系の伝達特性を考慮した演算処理により、この再生データを演算処理した後、復号して復号データを生成する。更に記録再生回路５３は、この復号データをデインターリーブ処理した後、誤り訂正処理し、デコーダ５２に出力する。
【００７２】
アドレス発生読出回路５５は、記録時、各セクタデータブロック（図９）に付加するアドレスデータを生成して記録再生回路５３に出力し、再生時、記録再生回路５３で検出されたアドレスデータを解析してシステム制御回路３４に通知する。
レーザー駆動回路５７は、書き込み時、光ディスク１２が光磁気ディスクの場合、システム制御回路３４の制御により、書き込み読み出しクロックＲ／Ｗ  ＣＫに同期したタイミングにより光ヘッド１１の半導体レーザーを駆動し、これによりレーザビームの光量を間欠的に立ち上げる。
【００７３】
また、レーザー駆動回路５７は、書き込み時、光ディスク１２が相変化型又追記型の場合、システム制御回路３４の制御により、記録再生回路５３の出力データによりレーザビームの光量を間欠的に立ち上げ、これにより光ディスク１２にユーザーデータＤＵを記録する。
【００７４】
これに対してレーザー駆動回路５７は、読み出し時、レーザービームの光量を一定の低レベルに保持する。
【００７５】
変調コイル駆動回路５６は、光ディスク１２が光磁気ディスクの場合、システム制御回路３４の制御により記録時動作を立ち上げ、記録再生回路５３の出力データにより光ヘッド１１の変調コイルを駆動する。これにより変調コイル駆動回路５６は、間欠的に光量が立ち上がるレーザービーム照射位置に変調磁界を印加して、熱磁気記録によりユーザーデータＤＵを記録する。
【００７６】
尚、上記光ディスク装置の記録系は従来のそれと同一の構成である。
【００７７】
本実施形態によれば、単一周波数によりグルーブトラック２１を蛇行させ、このグルーブトラック２１の蛇行を所定の角間隔でウオブル状のピットよるアドレスデータを記録したことにより、ウオブル信号、及びトラッキング信号が連続的に検出でき、データ記録再生クロックを連続化すると共にそのジッタを低減でき、精度の高いクロックを生成することができ、それ故、トラッキングサーボの外乱に対する強さも向上する。
【００７８】
更にピット列により記録するアドレスデータＩＤに誤り検出符号を付加し、更に繰り返し同一のデータを記録したことにより、その分、高密度にデータを記録する場合に、確実に各アドレスデータを検出することができる。
【００７９】
更にゾーニングして外周側程セクタ数を増大するように設定すると共に、ランドグルーブ記録することにより、その分、情報記録面を有効に利用して所望のデータを高密度に記録することができる。
【００８０】
また、アドレスエリアを分割して、ランドトラック２２によるセクタのアドレスと、グルーブトラック２１によるセクタのアドレスとを分離して記録したことにより、このピット列によるクロストークを有効に回避することができる。
【００８１】
更に、図１に示した光ディスクは従来と構成がほぼ同一の光ディスク装置で記録再生できるため、汎用性が広いと言える。
【００８２】
図９は本発明の光ディスクの第２の実施の形態のプリフォーマット例を示した図である。この本例は、グルーブ用のアドレス領域ＡＲ２（グルーブ）とランド用のアドレス領域ＡＲ２（ランド）を１／２セクタトラック円周方向にずらしたものである。これにより、第一の実施形態で無駄に使用していたランドアドレスピットに隣接するグルーブ空きエリアを削除でき、それと共にグルーブアドレスピットに隣接するランド空きエリアを削除する事が出来る。
【００８３】
これにより、本実施形態によればユーザ容量を大きくすることが出来る。このディスクに対する記録再生装置は図５、図８に示した装置と同様で、その動作も同様である。
【００８４】
本実施の形態によれば、第１の実施の形態で無駄に使用していた、ランドアドレスピットに隣接するグルーブトラック２１空きエリア、グルーブアドレスピットに隣接するランド空きエリアを削除する事が出来、ユーザ容量を大きくすることが出来る。
【００８５】
尚、本発明は上記実施の形態に限定されることなく、その要旨を逸脱しない範囲において、具体的な構成、機能、作用、効果において、他の種々の形態によっても実施することができる。
【００８６】
【発明の効果】
以上詳細に説明したように、本発明によれば、プリフォーマットアドレス部もウォブリングされているため高い精度の記録クロックが生成され、冗長度の小さい高密度の記録が可能となる。従って、従来に比して高密度にデータを記録する場合でも、情報記録面を有効に利用して光ディスクに記録されたアドレスを確実に検出することができる。また、同アドレス部でもユーザデータエリアと同様のトラッキングエラーが検出でき、シーク時のトラックカウント精度の向上により、高速アクセスが可能となる。また、外部衝撃に対して安定に記録再生することができる。
【図面の簡単な説明】
【図１】本発明の光ディスクの第１の実施の形態に係るプリフォーマット例を示した図である。
【図２】図１の一部拡大図である。
【図３】図１に示した光ディスクのプリフォーマットを形成するマスタリング装置の構成例を示したブロック図である。
【図４】図２に示したグルーブアドレスとランドアドレスの構成を示した図である。
【図５】図１に示した光ディスクを再生する光ディスク装置の再生系の構成例を示したブロック図である。
【図６】図１に示した光ディスクにデータを記録する光ディスク装置の記録系の構成例を示したブロック図である。
【図７】セクタデータブロックの構成例を示した図である。
【図８】１クラスターのデータを形成するフレーム構造例を示した図である。
【図９】本発明の光ディスクの第２の実施の形態のプリフォーマット例を示した図である。
【符号の説明】
１  マスタリング装置
２  ディスク原盤
３  スピンドルモータ
４  光ヘッド
５  駆動回路
６  アドレス信号生成回路
７  ウオブル信号発生回路
８  合成回路
２１  グルーブ
２２  ランド
２３、２４  ピット
ＡＲ１  ユーザーエリア
ＡＲ２  アドレスエリア（ヘッダエリア）
Ｚ０〜Ｚｎ  ゾーン
【図１】
0004348873.tif 000002
【図２】
0004348873.tif 000003
【図３】
0004348873.tif 000004
【図４】
0004348873.tif 000005
【図５】
0004348873.tif 000006
【図６】
0004348873.tif 000007
【図７】
0004348873.tif 000008
【図８】
0004348873.tif 000009
【図９】
0004348873.tif 000010